(57)【要約】      （修正有）【課題】内部照明郵便受けポストにおいて、郵便物確認者が郵便受けポストの内部照明を点灯させる為には郵便受けポストに接触しなければならなかった。そこで、郵便物確認者が郵便受けポストに触れることなく近づいただけで郵便受けポスト内部照明の点灯・消灯をできるようにする。【解決手段】郵便受けポストに非接触型の人体感知センサを備える。【選択図】図１
0003134398.tif 000002
【実用新案登録請求の範囲】
【請求項１】
内部照明を備えた郵便受けポストにおいて、ポスト本体内を照明する光源が人体感知センサにより郵便物確認者が接近すると点灯され、遠ざかると消灯されることを特徴とする内部照明付き郵便受けポスト。
【請求項２】
郵便受けポストと郵便物確認者との距離の遠近により内部照明を点灯・消灯させるセンサスイッチが備えられた請求項１の内部照明付き郵便受けポスト。
【請求項３】
センサスイッチは接近してきた郵便物確認者を検知し内部照明を点灯、郵便物確認者が遠ざかり検知しなくなることで内部照明を消灯させる請求項２の内部照明付き郵便受けポスト。
【請求項４】
センサスイッチはポスト本体の取出蓋体内面・取出蓋体外面・内天板面・外天板面・内底面・外底面・内壁面・外壁面のいずれかに取り付けられる固定手段を有している請求項２または請求項３の内部照明付き郵便受けポスト。
【請求項５】
センサスイッチとして赤外線センサが備えられている請求項２または請求項３の内部照明付き郵便受けポスト。
【請求項６】
照度センサを併用することでポスト内部が暗く視認性が悪い時、且つ郵便物確認者がポスト本体に接近した時に内部照明の点灯を限定した請求項５の内部照明付き郵便受けポスト。
【考案の詳細な説明】
【技術分野】
【０００１】本考案は、内部照明郵便受けポストの内部照明を人体感知センサにより制御することで、郵便物確認者が郵便受けに触れることなく内部照明が点灯し、郵便物の確認を容易に行うことのできる技術
【背景技術】
【０００２】リミットスイッチ・圧力センサスイッチ・回転センサスイッチあるいは振動センサスイッチによる制御であると内部照明郵便受けポストに触れるまでは内部照明は動作しなかった。
【考案の開示】
【考案が解決しようとする課題】
【０００３】郵便物確認者が郵便受けポストの内部照明を点灯させる為には郵便受けポストに接触しなければならず、郵便受けポストへの移動は時間的・労働的負担である。従って、郵便受けポストに非接触型の人体感知センサを備えることで、郵便物確認者が郵便受けポストに触れることなく近づいただけで郵便受けポスト内部照明の点灯・消灯させることにより、前述の欠点を解決しようとするものである。
【課題を解決するための手段】
【０００４】取出口に取出蓋体を備えた内部照明郵便受けポストにおいて、内部照明郵便受けポストに非接触型の人体感知センサを備えることにより、この非接触型の人体感知センサは取出口に郵便物確認者が近づくと内部照明が点灯し、遠ざかると消灯することにより問題点を解決している。【０００５】  また、照度センサにより内部照明の点灯を暗く視認性が悪いときに限定することで内部照明に関する無駄な電力の消費をせず、省エネルギー・省コストとなる。
【考案の効果】
【０００６】上述の様に、本考案の人体感知センサ付内部照明郵便受けポストは郵便受けポストに非接触型の人体感知センサが備えられており、取出口に郵便物確認者が近づくとこの非接触型の人体感知センサが作動し照明が点灯となることで郵便物確認者が郵便受けポストに触れることなく近づいただけで郵便受けポスト内部の確認を容易に行うことができる。
【考案を実施するための最良の形態】
【０００７】本考案の人体感知センサ付内部照明郵便受けポストは内部照明郵便受けポストに非接触型の人体感知センサが備えられているとともに、内部照明は郵便受けポスト取出口に郵便物確認者が近づくと点灯・遠ざかると消灯する、つまり内部照明が内部照明郵便受けポストと郵便物確認者の距離に連動して点灯・消灯されることを特徴とする。これにより、郵便物確認者が郵便物の確認を行う際に、内部照明郵便受けポストに触れることなく内部照明を自動的に点灯でき、近づいただけで郵便受けポスト内部を容易に確認するとこが出来る。
【実施例】
【０００８】以下、添付図面に従って一実施例を説明する。【０００９】［実施例１］図１は、この考案の実施例であるポスト本体（１）の要部構成例示した断面図であり、図２は図１の内部照明ケース体（２）における内部照明ユニット（３）、人体感知センサ（４）を例示した断面図である。【００１０】図１〜図２で示した例では、ポスト本体（１）内に備えられている内部照明ユニット（３）は人体感知センサ（４）のＯＮ／ＯＦＦにより点灯／消灯される。【００１１】この場合、内部照明ユニット（３）と人体感知センサ（４）は制御ユニット（５）に接続され、さらに一次電池（６）に接続されている。【００１２】また、内部照明ユニット（３）の人体感知センサ（４）への影響を軽減するために内部照明ユニット（３）と人体感知センサ（４）の間に遮光板（７）が設置されていることが望ましい。【００１３】本実施例では内部照明ケース体（２）は投入口（８）より郵便物（９）を投入する際の妨げにならないよう内天板面（１０）に設置されている。【００１４】しかしながら、必ずしも内部照明ケース体（２）は内天板面（１０）に設置されている必要はなく、取出蓋体内面（１１）内底面（１２）及び内壁面（１３）に設置されていても構わない。【００１５】一方、内部照明ユニット（３）と人体感知センサ（４）が１つのケース体（２）に内蔵されている必要はなく、図３のように、内部照明ユニット（３）・内部照明ユニットケース体（１４）・制御ユニット（５）・一次電池（６）と人体感知センサ（４）・人体感知センサケース体（１５）に分割することもできる。【００１６】この場合、人体感知センサ（４）・人体感知センサケース体（１５）は取出蓋体内面（１１）・取出蓋体外面（１６）・内天板面（１０）・外天板面（１７）・内底面（１２）・外底面（１８）・内壁面（１３）及び外壁面（１９）に設置されていても構わない。【００１７】上記のように設置された人体感知センサ（４）が郵便物確認者を検知の有無により、制御ユニット（５）を介して内部照明ユニット（３）の点灯・消灯が制御される。すなわちポスト本体（１）に郵便物確認者が接近することで人体感知センサ（４）が郵便物確認者を検知し、人体感知センサ（４）がＯＮとなり制御ユニット（５）を介し内部照明ユニット（３）は点灯する。郵便物確認者がポスト本体（１）から遠ざかるとＯＮとなっていた人体感知センサ（４）がＯＦＦとなり内部照明ユニット（３）は消灯する。【００１８】このように郵便物確認者がポスト本体（１）に接触することなくポスト本体（１）に接近することで内部照明ユニット（３）が点灯し、遠ざかることで内部照明ユニット（３）は消灯するので、取出蓋体外面（１６）及びポスト本体（１）に触れることなく郵便物（９）の確認作業を容易になる。【００１９】ところで、本実施例のポスト本体（１）では投入口（８）と取出蓋体（２０）が対向するものとなっているが、言うまでもなく人体感知センサ（４）による郵便物確認者の距離の遠近に連動し内部照明ユニット（３）の点灯・消灯を制御が可能であれば、様々な形式のポスト本体（１）への適用が可能である。【００２０】ところで、本実施例では一次電池（６）を使用しているが本考案の一連の動作に必要な電力の供給が可能な電源であれば、二次電池（２１）及び家庭用引込み線（２２）による電源供給であり、更には太陽電池（２３）による充電の二次電池（２１）の利用など多様な方法を用いることができる。【００２１】［実施例２］また、内天板面（１０）・取出蓋体内面（１１）・内底面（１２）・内壁面（１３）・取出蓋体外面（１６）・外天板面（１７）・外底面（１８）・外壁面（１９）前面枠（２４）及びひさし（２５）に照度センサ（２６）を設け制御ユニット（５）に接続することで、内部照明ユニット（３）の点灯をポスト本体が暗いため視認性が悪く、且つ郵便物確認者がポスト本体（１）に接近した場合に限定することができ、内部照明ユニット（３）の点灯に関する無駄な電力の消費をせず、省エネルギー・省コストとなる。
【産業上の利用の可能性】
【００２２】以上詳述したように本考案は、内部照明郵便受けポストに係わるものであり、本考案によって、郵便物確認者が郵便受けに触れることなく内部照明が点灯し、郵便物の確認を容易にさせることができる。
【図面の簡単な説明】
【図１】本考案の一実施例に係わるポスト本体の要部構成を例示した断面図
【図２】本考案の一実施例に係わる内部照明ケース体の要部構成を例示した断面図
【図３】本考案の一実施例に係わる内部照明ユニットケース体と人体感知センサケース体の要部構成を例示した断面図
【図４】本考案の一実施例に係わる二次電池を用いた場合の内部照明ケース体の要部構成を例示した断面図
【図５】本考案の一実施例に係わる家庭用引込み線を用いた場合の内部照明ケース体の要部構成を例示した断面図
【図６】本考案の一実施例に係わる太陽電池による充電の二次電池を用いた場合の内部照明ケース体の要部構成を例示した断面図
【図７】本考案の異なる実施例に係わる照度センサとの併用による内部照明ケース体の要部構成を例示した断面図
【符号の説明】
１  ポスト本体
２  内部照明ケース体
３  内部照明ユニット
４  人体感知センサ
５  制御ユニット
６  一次電池
７  遮光板
８  投入口
９  郵便物
１０  内天板面
１１  取出蓋体内面
１２  内底面
１３  内壁面
１４  内部照明ユニットケース体
１５  人体感知センサケース体
１６  取出蓋体外面
１７  外天板面
１８  外底面
１９  外壁面
２０  取出蓋体
２１  二次電池
２２  家庭用引込み線
２３  太陽電池
２４  前面枠
２５  ひさし
２６  照度センサ
【図１】
0003134398.tif 000003
【図２】
0003134398.tif 000004
【図３】
0003134398.tif 000005
【図４】
0003134398.tif 000006
【図５】
0003134398.tif 000007
【図６】
0003134398.tif 000008
【図７】
0003134398.tif 000009